(57)【要約】【課題】建物内の階段室Ｒに設けられる階段Ｓの使用時の騒音や振動が、階段室Ｒ周囲の界壁Ｗを介して隣接する住戸の室に伝わり難くし、十分な防音性能が得られるようにしつつ、その高段部の剛性を高くして防音性能や施工安定性を維持できるようにする。【解決手段】階段Ｓは左右の下地ユニット１を有する。下地ユニット１は、複数の枠体２が連結された枠組み構造を有し、界壁Ｗと隙間を空けた状態で下端部で階段室Ｒの床面Ｆに固定されて自立している。下地ユニット１に踏板取付部６と蹴込板取付部７が階段状に形成され、下地ユニット１において、同じ高さの踏板取付部６間に踏板２１が、また同じ高さの蹴込板取付部７間に蹴込板２２がそれぞれ架け渡されている。廻り階段部Ｓ２及び上側直階段部Ｓ３では、左右の下地ユニット１同士が補強ユニット１５〜１７で連結され、下地ユニット１に構造用面材１２が複数の枠体２に跨がるように取付固定されている。【選択図】図２
2018111966.tif 000002
【特許請求の範囲】
【請求項１】
建物内の階段室に設けられる防音階段であって、
上記階段室の左右両側に設けられた左右の下地ユニットを備え、
上記各下地ユニットは、階段室の左右の界壁に固定されずに下端部が階段室の床面に固定されかつ該界壁と隙間を空けた状態で、階段室の床面に自立しており、
各下地ユニットには、水平方向に延びる踏板取付部と、垂直方向に延びる蹴込板取付部とが交互に階段状に形成され、
左右の下地ユニットの対応する同じ高さの踏板取付部間に踏板が、また対応する同じ高さの蹴込板取付部間に蹴込板がそれぞれ架け渡されており、
各踏板及び各蹴込板の左右端部と界壁との間に隙間が形成され、
床面から所定段部以上の高さの高段部に位置する左右の下地ユニット間には補強ユニットが介在されていて、該補強ユニットにより左右の下地ユニット同士が一体的に連結されていることを特徴とする防音階段。
【請求項２】
建物内の階段室に設けられる防音階段であって、
上記階段室の左右両側に設けられた左右の下地ユニットを備え、
上記各下地ユニットは、階段室の左右の界壁に固定されずに下端部が階段室の床面に固定されかつ該界壁と隙間を空けた状態で、階段室の床面に自立しており、
上記各下地ユニットは、高さの異なる複数の矩形状の枠体が、該枠体内の平面を同じ平面上に位置させるように高さの順に直列に並べられて一体的に連結された枠組み構造を有し、
各下地ユニットには、水平方向に延びる踏板取付部と、垂直方向に延びる蹴込板取付部とが交互に階段状に形成され、
左右の下地ユニットの対応する同じ高さの踏板取付部間に踏板が、また対応する同じ高さの蹴込板取付部間に蹴込板がそれぞれ架け渡されており、
各踏板及び各蹴込板の左右端部と界壁との間に隙間が形成され、
床面から所定段部以上の高さの高段部に位置する左右の各下地ユニットには、構造用面材が該高段部の複数の枠体間に跨がるように一体的に取り付けられていることを特徴とする防音階段。
【請求項３】
請求項２において、
高段部に位置する左右の下地ユニット間には補強ユニットが介在されていて、該補強ユニットにより左右の下地ユニット同士が一体的に連結されていることを特徴とする防音階段。
【請求項４】
請求項２又は３において、
構造用面材は、下地ユニットの枠体において、対向する下地ユニットと反対側にある外側面に取り付けられていることを特徴とする防音階段。
【請求項５】
請求項１〜４のいずれか１つにおいて、
踏板と、該踏板の上側に隣接する蹴込板とが連結一体化されて断面Ｌ字状の踏板ユニットが設けられ、
上記踏板ユニットは、踏板において表側から少なくとも下地ユニットに固定されていることを特徴とする防音階段。
【請求項６】
請求項１〜５のいずれか１つにおいて、
踏板の上面にクッション性を有する表面仕上げ材が取付固定されていることを特徴とする防音階段。
【請求項７】
請求項１〜６のいずれか１つにおいて、
下端部が床面に固定された下側直階段部と、該下側直階段部の上端に接続された廻り階段部と、該廻り階段部の上端に接続された上側直階段部とを備え、
高段部は、上記廻り階段部以上の段部であることを特徴とする防音階段。
【請求項８】
請求項１又は２の防音階段の施工方法であって、
階段室の床面に左右の下地ユニットを、下端部が床面に固定されかつ階段室の界壁と隙間を空けた状態で自立させ、
踏板と、該踏板の上側に隣接する蹴込板とを連結一体化して断面Ｌ字状の踏板ユニットを形成しておき、
上記踏板ユニットを、踏板において表側から下地ユニットに踏板及び蹴込板が階段室の界壁と隙間を空けた状態で固定することで、左右の下地ユニットの踏板取付部間に踏板を、また蹴込板取付部間に蹴込板をそれぞれ架け渡すことを特徴とする防音階段の施工方法。
【発明の詳細な説明】
【技術分野】
【０００１】
本発明は、防音階段及びその施工方法に関する。
【背景技術】
【０００２】
近年、小規模の２階建て賃貸用集合住宅として、例えば２階の住戸の玄関が１階において１階の住戸の玄関と交互に配列されるタイプのものが知られている。このタイプの集合住宅においては、２階の入居者は、１階のある玄関から建物内の専用階段を通って２階の居室への出入りを行うようになっている。
【０００３】
ところで、この階段は階段室内に施工され、玄関が隣接する１階の住戸に対し、集合住宅における各住戸の間を仕切る壁である界壁を隔てて隣接しているので、階段の使用時に、その１階の住戸に対する騒音や振動が問題となる。
【０００４】
すなわち、賃貸用集合住宅において施工される内階段は、その昇降時の騒音や振動が他の部屋へ伝達されてしまうという問題があり、複数世帯が入居する集合住宅においては、同居者が階段を使用する一戸建て住宅に比べ、内階段の使用時の騒音や振動が原因で入居世帯間で問題が生じる可能性がある。
【０００５】
このような問題を解決するために、従来、例えば特許文献１に示されるように、階段室の床面上に、複数の枠体が連結されてなりかつ上部に傾斜部を有する左右のササラ桁受けパネルを立設し、このササラ桁受けパネルの傾斜部上に上面が階段形状に形成されたササラ桁を取付固定し、この左右のササラ桁の上面間に踏板及び蹴込板を架け渡すことで、階段が階段室の界壁に対しクリアランスを空けた状態で施工される階段構造が提案されている。
【先行技術文献】
【特許文献】
【０００６】
【特許文献１】特開２００１−３０３７３５号公報
【発明の概要】
【発明が解決しようとする課題】
【０００７】
この特許文献１のものでは、踏板を受けるササラ桁及びササラ桁受けパネルが床面に固定支持され、階段は界壁に対しクリアランスを空けて床面に立設されているので、階段と界壁とが切り離され、階段の振動や騒音が界壁に伝わるのを抑制することができる。
【０００８】
ところが、このような階段構造では、階段が床面のみに支持された構造であるので、その剛性が不足してぐらつきが生じる可能性があり、特に床面から高い位置にある高段部では顕著となる。その場合、階段の本来の防音性能を安定して維持することが難しくなり、その施工の安定性も不足するという難がある。
【０００９】
本発明は斯かる点に鑑みてなされたものであり、その目的は、防音階段の構造を改良することにより、階段室の界壁を介して隣接する住戸の室に階段の使用時の騒音や振動が伝わり難くし、十分な防音性能が得られるようにしつつ、その高段部の剛性を高くして、防音性能や施工安定性を維持できるようにすることにある。
【課題を解決するための手段】
【００１０】
上記の目的を達成するために、この発明では、まず、階段室の床面に左右の下地ユニットを自立させ、その下地ユニット間に踏板と蹴込板とを支持することで、階段を界壁から完全に分離する構造とした。さらに、階段の高段部では、左右の下地ユニット同士を補強ユニットを介して連結し、或いは各下地ユニットが複数の枠体を連結した構造である場合にその枠体同士を構造用面材によって連結するようにした。
【００１１】
具体的には、第１の発明は、建物内の階段室に設けられる防音階段として、その階段室の左右両側に設けられた左右の下地ユニットを備え、この各下地ユニットは、階段室の左右の界壁に固定されずに下端部が階段室の床面に固定されかつ該界壁と隙間を空けた状態で、階段室の床面に自立しており、各下地ユニットには、水平方向に延びる踏板取付部と、垂直方向に延びる蹴込板取付部とが交互に階段状に形成され、左右の下地ユニットの対応する同じ高さの踏板取付部間に踏板が、また対応する同じ高さの蹴込板取付部間に蹴込板がそれぞれ架け渡されており、各踏板及び各蹴込板の左右端部と界壁との間に隙間が形成され、床面から所定段部以上の高さの高段部に位置する左右の下地ユニット間には補強ユニットが介在されていて、該補強ユニットにより左右の下地ユニット同士が一体的に連結されていることを特徴とする。
【００１２】
また、第２の発明は、建物内の階段室に設けられる防音階段として、上記階段室の左右両側に設けられた左右の下地ユニットを備え、上記各下地ユニットは、階段室の左右の界壁に固定されずに下端部が階段室の床面に固定されかつ該界壁と隙間を空けた状態で、階段室の床面に自立しており、各下地ユニットは、高さの異なる複数の矩形状の枠体が、該枠体内の平面を同じ平面上に位置させるように高さの順に直列に並べられて一体的に連結された枠組み構造を有し、この各下地ユニットには、水平方向に延びる踏板取付部と、垂直方向に延びる蹴込板取付部とが交互に階段状に形成され、左右の下地ユニットの対応する同じ高さの踏板取付部間に踏板が、また対応する同じ高さの蹴込板取付部間に蹴込板がそれぞれ架け渡されており、各踏板及び各蹴込板の左右端部と界壁との間に隙間が形成され、床面から所定段部以上の高さの高段部に位置する左右の各下地ユニットには、構造用面材が該高段部の複数の枠体間に跨がるように一体的に取り付けられていることを特徴とする。
【００１３】
これら第１及び第２の発明では、階段室に左右の下地ユニットが各々の下端部を階段室の床面に固定して自立した状態で設けられ、下地ユニットは界壁に固定されずに両者間に隙間が空けられ、左右の下地ユニットの踏板取付部間に踏板が、また蹴込板取付部間に蹴込板がそれぞれ架け渡され、各踏板及び各蹴込板の左右端部と界壁との間に隙間が形成されているので、左右の下地ユニット、踏板及び蹴込板を含む階段は階段室の床面上に固定支持されていて、左右両側の界壁に対して完全に分離された構造となる。そのため、下地ユニット、踏板及び蹴込板を含む階段を界壁から完全に絶縁でき、階段の使用時の騒音や振動が、界壁に隣接する居室に対し界壁を通して伝達するのは可及的に少なくなり、その居室に対する十分な防音性能を確保することができる。
【００１４】
また、下地ユニットに踏板取付部と蹴込板取付部とが階段状に形成され、これら取付部にそれぞれ踏板及び蹴込板が取り付けられるので、別途に雛段や側板を界壁に固定する必要がなく、その分、階段の施工を容易に行うことができる。
【００１５】
そして、特に、第１の発明では、階段において床面から所定段部以上の高さの高段部に位置する左右の下地ユニット間に補強ユニットが介在され、この補強ユニットにより左右の下地ユニット同士が一体的に連結されているので、階段が床面のみに支持された構造であっても、その高段部の左右方向の剛性は大に確保され、階段の上記防音性能を安定して維持することができるとともに、その施工の安定性も向上する。
【００１６】
一方、第２の発明では、階段の下地ユニットは、高さの異なる複数の矩形状の枠体が、枠体内の平面を同じ平面上に位置させるように直列に並べられて一体的に連結された枠組み構造を有し、そのうち、階段の所定段部以上の高さの高段部に位置する左右の各下地ユニットに構造用面材が複数の枠体間に跨がるように取り付けられているので、各下地ユニットが枠組み構造であっても、それらの枠体間に跨がって連結された構造用面材によって下地ユニットの前後方向の剛性は大に確保され、階段の本来の防音性能を安定して維持することができるとともに、その施工の安定性も向上する。
【００１７】
第３の発明は、第２の発明において、高段部に位置する左右の下地ユニット間には補強ユニットが介在されていて、該補強ユニットにより左右の下地ユニット同士が一体的に連結されていることを特徴とする。
【００１８】
この第３の発明では、第１及び第２の発明の効果が相乗的に得られ、階段の高段部の左右方向の剛性と前後方向の剛性とがいずれも大に確保され、階段の防音性能をさらに安定して維持することができ、施工の安定性もより一層向上する。
【００１９】
第４の発明は、第２又は第３の発明において、構造用面材は、下地ユニットの枠体において、対向する下地ユニットと反対側にある外側面に取り付けられていることを特徴とする。
【００２０】
この第４の発明では、下地ユニットにおける枠体の外側面に構造用面材が取り付けられているので、階段室の周囲の床面に下地ユニットの各枠体を固定するときに、作業者が両下地ユニットの間に入って構造用面材よりも内側（床面の中央側）にある枠体を固定すればよく、枠体の内側面に構造用面材が取り付けられている場合のように、その構造用面材の外側から枠体を界壁との間に入って固定する必要がなく、構造用面材付きの下地ユニットの施工を容易に行うことができる。
【００２１】
第５の発明は、第１〜第４の発明のいずれか１つにおいて、踏板と、該踏板の上側に隣接する蹴込板とが連結一体化されて断面Ｌ字状の踏板ユニットが設けられ、この踏板ユニットは、踏板において表側から少なくとも下地ユニットに固定されていることを特徴とする。
【００２２】
この第５の発明では、踏板とその上側に隣接する蹴込板とは互いに連結されて断面Ｌ字状の踏板ユニットをなし、その踏板ユニットは、踏板にて表側から下地ユニットに固定されているので、踏板ユニットを固定するだけで、踏板と共に蹴込板をも同時に施工することができる。しかも、踏板ユニットを踏板の裏側から固定する手間が不要となり、施工性を高めることができる。
【００２３】
第６の発明は、第１〜第５の発明のいずれか１つにおいて、踏板の上面にクッション性を有する表面仕上げ材が取付固定されていることを特徴とする。
【００２４】
この第６の発明では、踏板上面に固定された表面仕上げ材がクッション性を有するので、歩行者が踏板を踏むときの歩行音を低減することができる。
【００２５】
第７の発明は、第１〜第６の発明のいずれか１つにおいて、防音階段は、下端部が床面に固定された下側直階段部と、この下側直階段部の上端に接続された廻り階段部と、この廻り階段部の上端に接続された上側直階段部とを備え、高段部は、上記廻り階段部以上の段部であることを特徴とする。
【００２６】
この第７の発明では、階段の高段部が廻り階段部以上の段部、つまり廻り階段部及び上側直階段部であり、それらの段部の剛性を高めることができる。
【００２７】
第８の発明は、第１又は第２の発明の防音階段の施工方法であって、階段室の床面に左右の下地ユニットを、下端部が床面に固定されかつ階段室の界壁と隙間を空けた状態で自立させ、踏板と、該踏板の上側に隣接する蹴込板とを連結一体化して断面Ｌ字状の踏板ユニットを形成しておき、上記踏板ユニットを、踏板において表側から下地ユニットに踏板及び蹴込板が階段室の界壁と隙間を空けた状態で固定することで、左右の下地ユニットの踏板取付部間に踏板を、また蹴込板取付部間に蹴込板をそれぞれ架け渡すことを特徴とする。
【００２８】
この第８の発明では、第１又は第２の発明と同様の作用効果を奏することができる。また、踏板とその上側に隣接する蹴込板とにより断面Ｌ字状の踏板ユニットが形成され、その踏板ユニットを踏板において表側から下地ユニットに固定するので、踏板ユニットを固定するだけで、踏板と共に蹴込板をも同時に施工でき、踏板ユニットを踏板の裏側から固定する手間も不要となり、施工性を高めることができる。
【発明の効果】
【００２９】
以上説明のように、本発明によると、建物内の階段室に施工される防音階段として、階段室に左右の下地ユニットを階段室の界壁と隙間を空けて配置して、その下地ユニットを階段室の床面に自立させて固定し、その下地ユニット間に踏板と蹴込板とを架け渡し、階段の高段部に位置する左右の下地ユニット同士を補強ユニットで一体的に連結し、或いは高段部に位置する下地ユニットの枠組み構造における複数の枠体間に跨がるように構造用面材を一体的に取り付けるようにしたことにより、階段が階段室の床面上に固定支持されて左右両側の界壁に対して完全に分離されて絶縁され、階段の使用時の騒音や振動が界壁を通して居室に伝達するのを可及的に少なくして、その居室に対する十分な防音性能を確保することができる。また、別途に雛段や側板を界壁に固定する必要がなく、階段の施工を容易に行うことができるとともに、高段部における左右の下地ユニットの剛性を大に確保して、階段の防音性能の安定維持及び施工安定性の向上を図ることができる。
【図面の簡単な説明】
【００３０】
【図１】図１は、本発明の実施形態に係る防音階段の平面図である。
【図２】図２は、防音階段において、踏板及び蹴込板を取り外した状態を示す平面図である。
【図３】図３は、図２のIII−III線断面図である。
【図４】図４は、図２のIV−IV線断面図である。
【図５】図５は、図２のＶ−Ｖ線断面図である。
【図６】図６は、図２のVI−VI線断面図である。
【図７】図７は、下段補強ユニットの正面図である。
【図８】図８は、中段補強ユニットの正面図である。
【図９】図９は、上段補強ユニットの正面図である。
【図１０】図１０は、踏板ユニットを例示する拡大斜視図である。
【図１１】図１１は、段鼻部材及び表面仕上げ材が取り付けられた踏板を拡大して示す拡大断面図である。
【図１２】図１２は、階段の最上段の取付構造を断面図である。
【図１３】図１３は、階段室の床構造を示す断面図である。
【発明を実施するための形態】
【００３１】
以下、本発明の実施形態を図面に基づいて詳細に説明する。以下の実施形態の説明は、本質的に例示に過ぎず、本発明、その適用物或いはその用途を制限することを意図するものでは全くない。
【００３２】
図１は、本発明の実施形態に係る防音階段Ｓを示し、この防音階段Ｓは、例えば２階建て賃貸用集合住宅等の建物内の階段室Ｒに設けられている。図示しないが、建物における２階の住戸の玄関は１階の住戸の玄関と並べられて配列されており、防音階段Ｓは、階段室Ｒにおいて２階の住戸とその１階に位置する玄関との間を接続するように施工され、階段室Ｒの周り側の界壁Ｗ，Ｗ，…は１階の住戸における居室の壁部を構成している。また、階段室Ｒの空間は、階段Ｓによって上下に仕切られ、階段Ｓの下側には、階段Ｓを天井部とする、１階の住戸の収納空間（図示せず）が形成されている。
【００３３】
防音階段Ｓは、階段室Ｒの１階の床面Ｆから直線状に斜め上側に延びる例えば６段の下側直階段部Ｓ１と、この下側直階段部Ｓ１の上端に下端が接続され、下側直階段部Ｓ１に対し平面視で右方向に９０°に折れ曲がって斜め上側に延びる例えば３段の廻り階段部Ｓ２と、この廻り階段部Ｓ２の上端に下端が接続され、廻り階段部Ｓ２の上側への延長方向（下側直階段部Ｓ１と直交方向）に斜め上側に延びる例えば３段の上側直階段部Ｓ３とを有する。
【００３４】
本実施形態の説明では、説明の便宜上、下側直階段部Ｓ１、廻り階段部Ｓ２及び上側直階段部Ｓ３を含め、階段Ｓの上り方向に向かって左側及び右側をそれぞれ「左」及び「右」と言い、手前側（下段側）を「前」と言い、奥側（上段側）を「後」と言うこととする。また、階段Ｓにおいて下から数えた段部の番号を図面で丸数字にて示している。
【００３５】
図２〜図６に示すように、上記下側直階段部Ｓ１、廻り階段部Ｓ２及び上側直階段部Ｓ３においては、階段室Ｒの左右両側にそれぞれ位置する左右の下地ユニット１，１が設けられている。
【００３６】
左右の下地ユニット１，１の各々は、図３〜図６に示すように、複数の矩形状の枠体２，２，…が並べられて一体的に連結された枠組み構造（枠体２，２，…の集合体）とされ、複数の枠体２，２，…の高さは基本的に互いに異なっている。各枠体２は、例えば３０ｍｍの角材が用いられ、この角材からなる水平方向に延びる上下の横枠材２ａ，２ａ間に、同じ角材からなる上下方向に延びる同じ高さの２本の縦枠材２ｂ，２ｂをビス等により連結一体化して矩形枠状にしたものであり、枠体２，２，…の間で縦枠材２ｂの高さを互いに異ならせることで、高さの異なる枠体２，２，…が形成されている。直階段部Ｓ１，Ｓ３での枠体２，２，…の幅（下地ユニット１に沿った方向の長さ）は基本的に互いに同じであり、廻り階段部Ｓ２での枠体２の幅は直階段部Ｓ１，Ｓ３での枠体２の幅よりも大きくなっている。
【００３７】
この下地ユニット１の枠組み構造においては、互いに隣接する高さの異なる枠体２，２同士は、低い側の下段の枠体２にあっては、その隣接側の縦枠材２ｂの全体と上下の横枠材２ａ，２ａの端面（木口面）とが高い側の枠体２に、また高い側の上段の枠体２にあっては、その隣接側の縦枠材２ｂの一部と下側の横枠材２ａの端面とが低い側の枠体２にそれぞれ当接した状態で連結されている。
【００３８】
そして、左側（階段の廻り方向外側）の下地ユニット１は、廻り階段部Ｓ２の中央部（８段目）で折れ曲がっており、下側直階段部Ｓ１と廻り階段部Ｓ２の下半部（７段及び８段の下半部）とにおいては、図３に示すように、高さの異なる例えば８つの枠体２，２，…が、各枠体２内の平面（枠体２を通る平面）を左側の界壁Ｗに沿って延びる同じ鉛直平面上に位置させるように高さの順に直列に並べられてビス等により一体的に連結されている。一方、同じ左側の下地ユニット１において、廻り階段部Ｓ２の上半部（８段の上半部及び９段）と上側直階段部Ｓ３とにおいては、図４に示すように、高さの異なる例えば５つの枠体２，２，…が、各枠体２内の平面（枠体２を通る平面）を左側の界壁Ｗ（図１及び図２では左右方向に延びる上側の界壁Ｗ）に沿って延びる同じ鉛直平面上に位置させるように高さの順に直列に並べられてビス等により一体的に連結されている。
【００３９】
そして、この左側の下地ユニット１において、上記下側直階段部Ｓ１及び廻り階段部Ｓ２の下半部の８つの枠体２，２，…と、廻り階段部Ｓ２の上半部及び上側直階段部Ｓ３の５つの枠体２，２，…とは、前者の集合体の右側面に後者の集合体の前端部が当接した状態で平面視でＬ字状になるように直角にビス等により一体的に連結されており、このような複数の枠体２，２，…同士の連結により、階段室Ｒの左側の界壁Ｗに沿った下地ユニット１が形成されている。この左側の下地ユニット１の廻り階段部Ｓ２（７段〜９段）に位置する４つの枠体２，２，…のうち、廻り階段部Ｓ２の中央に位置する２つの枠体２，２、すなわち図３で右端に位置する下半部の枠体２と、図４で左端に位置する上半部の枠体２とはいずれも同じ段部（下から８段）を構成していて高さが同じであり、これらは平面視で直角に連結されている。
【００４０】
これに対し、右側（階段の廻り方向内側）の下地ユニット１において、その下側直階段部Ｓ１に位置する部分は、図５に示すように、上記左側の下地ユニット１において下側直階段部Ｓ１の１段〜６段に位置する部分と同じ枠組み構造であり、高さの異なる６つの枠体２，２，…が、各枠体２内の平面を右側の界壁Ｗに沿って延びる同じ鉛直平面上に位置させるように高さの順に直列に並べられてビス等により一体的に連結されている。これら６つの枠体２，２，…の各々の高さは、上記左側の下地ユニット１において下側直階段部Ｓ１の１段〜６段に位置する各枠体２の高さと対応しており、左右の下地ユニット１，１が左右に対向して起立状態で並べられたときに、左右に対応する枠体２，２の高さが互いに一致するようになっている。
【００４１】
また、同じ右側の下地ユニット１において、廻り階段部Ｓ２及び上側階段部Ｓ３に位置する右側の下地ユニット１は、図６に示すように、高さの異なる４つの枠体２，２，…が、各枠体２内の平面を右側の界壁Ｗ（図１及び図２では左右方向に延びる下側の界壁Ｗ）に沿って延びる同じ鉛直平面上に位置させるように高さの順に直列に並べられてビス等により一体的に連結されたものである。これら４つの枠体２，２，…のうち、上段側の３つの枠体２，２，…の高さは、上記左側の下地ユニット１において上側直階段部Ｓ３（１０段〜１２段）に位置する３つの枠体２，２，…の高さとそれぞれ対応し、残りの最下段の枠体２の高さは、左側の下地ユニット１において廻り階段部Ｓ２の最下段（７段）に位置する１つの枠体２の高さと対応しており、左右の下地ユニット１，１が左右に対向して起立状態で並べられたときに、左右に対応する枠体２，２の高さが互いに一致するようになっている。
【００４２】
上記廻り階段部Ｓ２及び上側階段部Ｓ３に位置する右側の下地ユニット１のうち、最下段の枠体２の上面には、図２及び図６に示すように、その上側の横枠材２ａの長さ方向中央に高さ調整用の下段側受材３が、また一側部（図６で左側）に高さ調整用の上段側受材４がそれぞれ互いに隣接して起立状に取付固定されている。下段側受材３上面の高さは、左側（外側）の下地ユニット１において廻り階段部Ｓ２の中間部の下半部（下から８段）に位置する枠体２の高さと同じとされ、上段側受材４上面の高さは、同下地ユニット１において廻り階段部Ｓ２の中間部の上半部（下から９段）に位置する枠体２の高さと同じとされている。
【００４３】
そして、右側の下地ユニット１において、上記下側直階段部Ｓ１の６つの枠体２，２，…と、廻り階段部Ｓ２及び上側直階段部Ｓ３の４つの枠体２，２，…とは、後者の集合体の右側面に前者の集合体の後側先端部が対向した状態で平面視でＬ字状になるように直角に配置され、両者は所定厚さの角材等からなるスペーサ１０（図２に示す）を介してビス等により一体的に連結されており、このような連結により階段室Ｒの右側の界壁Ｗに沿った右側の下地ユニット１が形成されている。
【００４４】
上記階段室Ｒの左右両側の下地ユニット１，１はいずれも階段室Ｒの左右両側の界壁Ｗ，Ｗ，…に沿って配置され、各下地ユニット１は、該界壁Ｗに接触ないし固定されずに階段室Ｒの床面Ｆに自立している。各下地ユニット１の下端部は階段室Ｒの床面Ｆに、例えば各枠体２の下側の横枠材２ａをビス止めすること等により固定され、各下地ユニット１と界壁Ｗとは所定寸法の隙間を空けた状態で離隔している。
【００４５】
尚、各下地ユニット１と床面Ｆの間に制振マット（図示せず）を両者で挟み込むように介在させてもよく、さらに高い制振効果や振動絶縁効果が得られる。この制振マットとしては、例えばゴム系、ＰＶＣ系、アスファルト系、発泡ウレタン系等の制振効果の高い材料が用いられる。
【００４６】
本発明の特徴として、上記左右の下地ユニット１，１には構造用面材１２が一体的に取付固定されている。具体的には、左右の下地ユニット１，１のうち、階段Ｓの廻り階段部Ｓ２及び上側直階段部Ｓ３からなる高段部に位置する部分に構造用合板等からなる構造用面材１２が該高段部の複数の枠体２，２，…間に跨がるように一体的に取付固定されている。図３に示すように、左側の下地ユニット１において廻り階段部Ｓ２の下半部に位置する部分の２つの枠体２，２の左側面（つまり対向する右側下地ユニット１と反対側にある外側面）に、両枠体２，２に対応した形状に切断された構造用面材１２が両枠体２，２に亘って配置され、この構造用面材１２はビス等により各枠体２（横枠２ａ及び縦枠２ｂ）に固定されている。また、図４に示すように、左側の下地ユニット１において廻り階段部Ｓ２の上半部及び上側直階段部Ｓ３に位置する部分の５つの枠体２，２，…の左側面（外側面）に、これら枠体２，２，…に対応した形状に切断された構造用面材１２が枠体２，２，…に跨がるように配置され、この構造用面材１２はビス等により枠体２，２，…に固定されている。さらに、図６に示すように、右側の下地ユニット１において廻り階段部Ｓ２の上半部及び上側直階段部Ｓ３に位置する部分の４つの枠体２，２，…の右側面（外側面）に、これら枠体２，２，…に対応した形状に切断された構造用面材１２が枠体２，２，…に跨がるように配置され、この構造用面材１２はビス等により枠体２，２，…に固定されている。この各構造用面材１２と界壁Ｗとの間には所定寸法（例えば６ｍｍ）の隙間が空けられている。図３、図４及び図６では、構造用面材１２を斜線にて示しており、この斜線の位置に構造用面材１２が位置していて下地ユニット１に固定されている。
【００４７】
尚、この実施形態では、構造用面材１２は、取り付ける複数の枠体２，２，…の集合体に対応した形状とされているが、必ずしも限定されず、複数の枠体２，２，…間に跨がるように取り付けられる形状であればよく、可能な限り広い面積で枠体２，２，…間を連結できるのが好ましい。
【００４８】
上記左右の下地ユニット１，１は、階段の廻り階段部Ｓ２以上の高段部を含む途中の部分の３箇所において、補強ユニット１５〜１７により一体的に連結されている。具体的には、下側直階段部Ｓ１の上端（廻り階段部Ｓ２の下端ともいえる）である６段に位置する左右の下地ユニット１，１の枠体２，２間には下段補強ユニット１５が介在されていて、この下段補強ユニット１５により左右の下地ユニット１，１が当該枠体２，２にて連結されている。また、廻り階段部Ｓ２の上端部に位置し、９段に相当する左側の下地ユニット１の枠体２と、同様に７段に相当する右側の下地ユニット１の枠体２との間には中段補強ユニット１６が介在されていて、この中段補強ユニット１６により左右の下地ユニット１，１が当該枠体２，２にて連結されている。さらに、上側直階段部Ｓ３の上端部に位置する１２段に相当する左右の下地ユニット１，１の枠体２，２間には上段補強ユニット１７が介在されていて、この上段補強ユニット１７により左右の下地ユニット１，１が当該枠体２，２において連結されている。これらの補強ユニット１５〜１７の高さは、連結する左右の下地ユニット１，１の枠体２，２の高さよりも低く、それら枠体２，２は上端部を残した部分で補強ユニット１５〜１７により連結されている。
【００４９】
図７は上記下段補強ユニット１５を、また図８は中段補強ユニット１６を、さらに図９は上段補強ユニット１７をそれぞれ示している。これらの補強ユニット１５〜１７は高さが異なるだけで、他の構造は互いに同じである。すなわち、各補強ユニット１５〜１７は、左右水平方向に延びる上下の横枠材１８，１８間に上下方向に延びる左右及び中央の３本の縦枠材１９，１９，…をビス等により連結一体化して矩形枠状にしたものであり、左右の下地ユニット１，１の両枠体２，２間に各補強ユニット１５〜１７を挟むように配置して両枠体２，２の縦枠材２ｂ，２ｂと補強ユニット１５〜１７の左右の縦枠材１９，１９とをビス等で連結することにより、左右の下地ユニット１，１が補強ユニット１５〜１７により一体的に連結されている。尚、図４に示すように、９段に相当する左側の下地ユニット１の枠体２には上下の横枠材２ａ，２ａ間に中間縦枠材２ｃが取付固定されており、この中間縦枠材２ｃに中段補強ユニット１６の左側の縦枠材１９が固定されている。また、各補強ユニット１５〜１７は下側の横枠材１８において床面Ｆにビス等により固定されて、床面Ｆ上に自立している。
【００５０】
上記各補強ユニット１５〜１７は枠構造であるので、この補強ユニット１５〜１７に該補強ユニット１５〜１７と同じ形状の構造用合板等からなる構造用面材（図示せず）を取り付けて、該補強ユニット１５〜１７を補強するようにしてもよく、補強ユニット１５〜１７の剛性や下地ユニット１，１間の剛性を高めることができる。
【００５１】
上記左右の下地ユニット１，１の上部には、水平方向に延びる複数の踏板取付部６，６，…と、垂直方向に延びる複数の蹴込板取付部７，７，…とが交互に階段状（段差状）に形成されている。すなわち、直階段部Ｓ１，Ｓ３においては、下地ユニット１の各枠体２の上面に踏板取付部６が形成され、その枠体２の前面で該枠体２に隣接する下側の枠体２との間の段差部分に蹴込板取付部７が形成されている。
【００５２】
また、廻り階段部Ｓ２においては、その左側（外側）の下地ユニット１にあっては、直階段部Ｓ１，Ｓ３と同様に、各枠体２の上面に踏板取付部６が形成され、その枠体２の前面で該枠体２に隣接する下側の枠体２との間の段差部分に蹴込板取付部７が形成されている。一方、右側（内側）の下地ユニット１にあっては、７段目の枠体２及び各受材３，４の上面に踏板取付部６が形成され、その枠体２及び各受材３，４の前面で該枠体２に隣接する下段側の枠体２との間の段差部分に蹴込板取付部７が形成されている。
【００５３】
上記左右の下地ユニット１，１において、左右に対応する同じ高さの踏板取付部６，６間に踏板２１が架け渡されて固定され、左右に対応する同じ高さの蹴込板取付部７，７間に蹴込板２２が架け渡されている。この踏板２１及び蹴込板２２の各々の左右端部と各界壁Ｗとの間に所定寸法（例えば３ｍｍ）の隙間が形成されている。
【００５４】
具体的には、図１０に例示するように、上記直階段部Ｓ１，Ｓ３及び廻り階段部Ｓ２における各踏板２１は、該踏板２１の上側に隣接する蹴込板２２とビス等により連結一体化されて断面Ｌ字状の踏板ユニット２０を構成している。すなわち、踏板２１は左右方向に延びる板状のものであり、その後端部（幅方向の一端部）が、左右方向に延びる矩形板状の蹴込板２２の下端部前面に直角に当接した状態で配置され、その状態で踏板２１と蹴込板２２とがビス等で一体的に固定されて踏板ユニット２０が形成されている。尚、図１０は直階段部Ｓ１，Ｓ３における踏板ユニット２０を示しており、廻り階段部Ｓ２での踏板ユニット２０は、図示しないが踏板２１の形状が異なっているだけである。
【００５５】
直階段部Ｓ１，Ｓ３における各踏板２１は矩形状の板材であり、その幅は、下地ユニット１の対応する踏板取付部６の前後長さよりも所定寸法だけ大きくなっている。また、図１に示すように、廻り階段部Ｓ２における下段及び上段（下から７段及び９段）の踏板２１はそれぞれ直角三角形の板材であり、中段（同８段）の踏板２１は略菱形状の板材であり、いずれもやはり下地ユニット１の対応する踏板取付部６の前後長さよりも所定寸法だけ大きくなっている。尚、階段Ｓの最下段に位置する蹴込板２２は単独で用いられ、踏板２１と組み合わされて踏板ユニット２０を構成していない。
【００５６】
廻り階段部Ｓ２においては、下地ユニット１の蹴込板取付部７は下地ユニット１の前面に形成されるのに対し、蹴込板２２は、その下地ユニット１の前面に対しそれと平行にならずに所定の角度で傾斜して配置され、この下地ユニット１の前面と蹴込板２２との間に両者間の角度差を埋めるようにスペーサ（図示せず）が配置されている。
【００５７】
図１２に例示するように、踏板ユニット２０における踏板２１の下面前端部には左右方向（踏板２１の長さ方向）に延びる蹴込板用凹溝２１ａが形成されており、複数の踏板ユニット２０，２０，…を下地ユニット１，１に固定する施工状態では、この蹴込板用凹溝２１ａに、下側に隣接する階段ユニット２０における蹴込板２２の上端部が嵌合されるようになっている。そのとき、蹴込板用凹溝２１ａ内の底面と蹴込板２２の上端部との間に例えば厚さ６ｍｍ程度の細長いゴムマット２３が介在される。
【００５８】
そして、踏板ユニット２０は、その踏板２１において表側（上面側）から下地ユニット１，１にビス等により固定されている。具体的には、各踏板ユニット２０の蹴込板２２が後面（裏面）で左右の下地ユニット１，１の蹴込板取付部７，７に対向し、その状態で踏板２１の左右端部が表側から下地ユニット１，１の踏板取付部６，６にビス等で固定されている。このとき、図３〜図６に示すように、各踏板２１と下地ユニット１の踏板取付部６との間、及び各蹴込板２２と下地ユニット１の蹴込板取付部７との間には例えば厚さ６ｍｍ程度の帯状のゴムマット２４が連続するように介在されている。また、踏板ユニット２０は踏板２１の前端部が、下側に隣接する踏板ユニット２０の蹴込板２２の上端部の位置よりも所定寸法（例えば３０ｍｍ）だけ前側に突出した状態で固定されている。
【００５９】
さらに、図１１に示すように、上記各踏板ユニット２０における踏板２１の前端部（段鼻部）には、階段Ｓを昇降する人が踏板上で滑らないようにするための段鼻部材２８が固定されている。
【００６０】
この段鼻部材２８について詳細に説明すると、段鼻部材２８は、踏板２１に直接固定されるベース部２９と、このベース部２９に取り外し可能に組み付けられるカバー部３５とを有する。ベース部２９は、例えばＰＶＣ樹脂の他、ＡＢＳ、ＰＰ、ＰＳ等の硬質樹脂の押出成形材からなっている。
【００６１】
上記ベース部２９は、下面が踏板２１の上面前端部に固定される平板状のもので、このベース部２９の上面において、その幅方向の一端側である後端部（図１１で右端部）には、ベース部２９の長さ方向に延びる第１凹溝部３１が、また幅方向の略中央に同様の第２凹溝部３２がそれぞれベース部２９の長さ方向の全体に亘って形成されている。各凹溝部３１，３２の開口部の前後両側部分は、凹溝部３１，３２の長さ方向全体に亘ってそれぞれ開口部中央に向かって突出しており、この突出部分により、第１及び第２凹溝部３１，３２は、開口部の溝幅が溝深さ方向の中間部よりも狭くなっていて中拡がりの溝に形成されている。
【００６２】
上記カバー部３５も樹脂の押出成形材からなっているが、このカバー部３５は例えばＰＶＣ樹脂の他、ＴＰＥ（例えばＴＰＯ、ＴＰＵ）等の軟質樹脂からなる。
【００６３】
カバー部３５は、下面（ベース部２９との対向面）において上記ベース部２９の上面に取り外し可能に組み付けられる平板状の装着部３６と、この装着部３６の前端部（幅方向の一端）に連続して一体に形成され、装着部３６と直交する方向の下方に延びる平板状の前面部３７とを有し、この前面部３７と装着部３６とによりカバー部３５は断面略Ｌ字状とされている。そして、段鼻部材２８が踏板５に取り付けられ、そのベース部２９が踏板５上面の前端部に固定され、後述のようにベース部２９にカバー部３５が組み付けられた組み付け状態では、カバー部３５の前面部３７が踏板５の踏板基材６前端面を覆い、その状態で前面部３７が踏板基材６前端面に両面テープにより固定される。
【００６４】
上記前面部３７の下端部には、後側に向かって延びる係止部３８が一体に形成されている。この係止部３８は、図１１に示すように、段鼻部材２８が踏板５に取り付けられると、その弾性によって踏板基材６の下面に圧接して係止されるようになっている。
【００６５】
上記装着部３６の上面には、その長さ方向に互いに平行に延びる複数（図示例では３つ）の滑り止め用凹溝４０，４０，…が幅方向に前後に並んで形成されている。装着部３６の幅方向の他端である後端部（図１１で右端部）には、先端に向かって厚さが薄くなる被覆部４１が装着部３６の長さ方向の全体に亘り一体に形成されている。この被覆部４１は、図１１に示すように、段鼻部材２８が踏板５に取り付けられると、弾性により先端部が踏板５の表面材７上面に圧接して該前部を覆うようになっている。
【００６６】
上記装着部３６の下面には、その後端部に、カバー部３５（装着部３６）の長さ方向に延びる１枚の板状の第１凸条部４３が、また幅方向略中央部に、カバー部３５（装着部３６）の長さ方向に延びる１つの第２凸条部４５がそれぞれ下方に向かって突出するように一体に形成され、これら凸条部４３，４５は、装着部３６の長さ方向の全体に亘って設けられている。上記第１凸条部４３は先端側部の断面が先細りテーパ形状のもので、その前後方向（図１１で左右方向）の寸法である厚さは上記ベース部２９の第１凹溝部３１の開口部の溝幅よりも小さく、かつ下方への突出高さは第１凹溝部３１の溝深さよりも小さく設定されている。第１凸条部４３の先端部には断面く字状の抜け止め部４４が一体に形成されている。抜け止め部４４での第１凸条部４３の厚さは第１凹溝部３１の開口部の溝幅よりも大きく設定されており、第１凸条部４３を第１凹溝部３１に嵌合したときに、抜け止め部４４が変形しながら第１凹溝部３１の開口部を潜ってその内部に嵌合されて第１凹溝部３１の開口部両側の突出部分に引っ掛かることにより、第１凸条部４３が第１凹溝部３１から抜け出るのを阻止するようにしている。
【００６７】
一方、第２凸条部４５は第１凸条部４３とは異なり、第１凸条部４３の厚さ（前後方向の寸法）よりも厚くかつ第１凸条部４３の突出高さよりも低い断面矩形の角材状のものである。第２凸条部４５の厚さは上記ベース部２９の第２凹溝部３２の開口部の溝幅よりも小さく、かつ突出高さは第２凹溝部３２の溝深さよりも小さく設定されていて、第２凸条部４５をベース部２９の第２凹溝部３２の内部にその開口部から嵌合することが可能であり、その嵌合状態では、第２凸条部４５の厚さ方向の両側面と第２凹溝部３２の開口部両側縁の突出部分との間にそれぞれ隙間が空けられるようになっている。
【００６８】
以上の構造により、カバー部３５の第１及び第２凸条部４３，４５がそれぞれベース部２９の第１及び第２凹溝部３１，３２に嵌合することによってカバー部３５がベース部２９に取り外し可能に組み付けられるようになっている。
【００６９】
また、この段鼻部材２８よりも後側（奥側）で蹴込板２２までの範囲の踏板２１上面には、クッション性を有する表面仕上げ材４７が接着剤等により取付固定されている。このことで、踏板２１上面が表面仕上げ材４７に覆われることとなり、踏板ユニット２０を踏板２１において表側（上面側）から下地ユニット１に固定するためのビス等が隠蔽される。このクッション性を有する表面仕上げ材４７としては、例えばシート化粧ＭＤＦ＋ＰＶＣマット＋不織布（又はウレタン発泡体）等が用いられる。
【００７０】
上記直階段部Ｓ１，Ｓ３及び廻り階段部Ｓ２における左右の下地ユニット１，１（構造用面材１２）と階段室Ｒの界壁Ｗ，Ｗとの間、及びその各踏板ユニット２０の踏板２１及び蹴込板２２の左右端部と界壁Ｗ，Ｗとの間はいずれも隙間が空けられているが、各界壁Ｗには、この隙間を上側（外部）から見て隠蔽するための巾木（図示せず）が各下地ユニット１や各踏板ユニット２０の踏板２１及び蹴込板２２と非接触状態で取付固定されている。
【００７１】
図１２に示すように、階段Ｓは最上段で２階の床面Ｆ２に階段状に連続し、その最上段の踏板ユニット２０は、踏板２１と、その後端面に固定された薄板の蹴込板２２とからなり、この薄板の蹴込板２２の上端部は、２階床面Ｆ２を構成する階段前框５１の下面前端部に固定され、この階段前框５１は横架材５０（躯体）の上部に固定されており、この蹴込板２２は横架材５０の前面に対し所定寸法（例えば３ｍｍ）の隙間が空けられている。こうすることで、階段Ｓの上端部を階段前框５１に薄板からなる蹴込板２２のみで連結して、横架材５０に対しては振動に関して分離される構造とし、階段Ｓの振動が横架材５０に伝達されず、階段Ｓ下の空間に音として放射されるのを防ぐようにしている。
【００７２】
また、図１３に示すように、上記階段室Ｒの床下構造には束５６が設けられている。すなわち、階段室Ｒの床面をなす床材５５の下側には、各下地ユニット１の真下の位置の基礎Ｂ上に複数の鋼製束５６，５６，…が下地ユニット１の延びる前後方向に並んで起立され、これら複数の鋼製束５６，５６，…の上端間に亘り大引５７が載置支持され、この大引５７の上に左右方向に延びる複数の根太５８，５８，…が配置され、この根太５８，５８，…上に床材５５が施工されており、このことで床材５５を鋼製束５６，５６，…によって補強し、その下地ユニット１，１が固定される部分の床材５５の剛性を高めるようにしている。
【００７３】
次に、上記構成の防音階段Ｓを施工する方法について説明する。まず、例えば階段Ｓの施工現場において、直階段部Ｓ１，Ｓ３及び廻り階段部Ｓ２の左右の下地ユニット１，１を組み立てる。この下地ユニット１，１は、高さの異なる複数の枠体２，２，…の集合体からなるものであるので、それらの枠体２，２，…を高さ順に並べてビス止め等により一体的に連結し、上部に階段状の踏板取付部６，６，…及び蹴込板取付部７，７，…を有する下地ユニット１，１を形成する。
【００７４】
また、このとき、枠体２の集合体からなる下地ユニット１のうち、廻り階段部Ｓ２以上の高段部に位置する部分の外側面に構造用面材１２を複数の枠体２，２，…間に跨がるようにビス等により一体的に取り付ける。
【００７５】
尚、上記枠体２，２，…による下地ユニット１の形成、及びその下地ユニット１に対する構造用面材１２の取付けは、予め工場等において行い、施工現場では搬入するだけで済むようにしてもよい。そのときには、構造用面材１２は、上述の如く、取り付ける複数の枠体２，２，…の集合体に対応した形状とすることができる。逆に、施工現場で全てを組み立てる場合には、構造用面材１２は、容易に取り扱いできるようにするために、複数の枠体２，２，…間に跨がるように取り付けられる小さな形状とするのがよい。
【００７６】
次いで、このようにして組み立てられた左右の下地ユニット１，１を階段室Ｒに配置し、その各下地ユニット１の下端部を各枠体２の下側横枠材２ａにてビス等により固定することで、両下地ユニット１，１を階段室Ｒの床面Ｆに階段室Ｒの界壁Ｗ，Ｗ，…と隙間が空けられた状態で自立させる。
【００７７】
そのとき、各下地ユニット１における各枠体２や構造用面材１２の界壁Ｗ側の側面（左側下地ユニット１では左側面、右側下地ユニット１では右側面）の角部や中間部に一定厚さの隙間調整材（図示せず）を取り付けておき、その隙間調整材が界壁Ｗに当接するように下地ユニット１を起立させてもよい。こうすることで、下地ユニット１と界壁Ｗとの間に一定の隙間を空けることができる。
【００７８】
上記隙間調整材は、下地ユニット１が床面Ｆに固定された後に除去してもよい。或いは、下地ユニット１が界壁Ｗと接触することになるが、隙間調整材として、例えばゴム系、ＰＶＣ系、アスファルト系、発泡ウレタン系等の制振効果の高い材料を用いれば、除去せずにそのまま残しておいてもよい。すなわち、仮に、例えば下地ユニット１をビス等により界壁Ｗと固定した場合、そのビス等を介して下地ユニット１（階段Ｓ）の振動が界壁Ｗに伝達されるようになるが、それとは異なり、下地ユニット１と界壁Ｗとの間に介在されるものが制振効果の高い隙間調整材であれば、階段Ｓの振動は殆ど界壁Ｗに伝達され難くなるためである。このように隙間調整材を残すことで施工性は向上する。
【００７９】
また、左右の下地ユニット１，１の高い部分の間を棒状の部材の架け渡しにより固定し、各下地ユニット１と界壁Ｗとの間に一定の隙間が形成されるように振れ止めするようにしてもよい。
【００８０】
上記下地ユニット１，１を枠体２の下側横枠材２ａにて階段室Ｒの床面Ｆにビス等により固定する際、廻り階段部Ｓ２及び上側直階段部Ｓ３からなる高段部に位置する左右の各下地ユニット１，１に取り付けられた構造用面材１２は、その各下地ユニット１の外側面に位置しているので、作業者が両下地ユニット１，１の間に入って構造用面材１２よりも内側（床面Ｆの中央側）にある枠体２の下側横枠材２ａをビス等で固定すればよいことになる。そのため、仮に枠体２の内側面に構造用面材１２が取り付けられている場合のように、その構造用面材１２の外側から枠体２を界壁Ｗとの間の狭いスペースに入って固定する必要がなくなり、構造用面材１２付きの下地ユニット１の施工を容易に行うことができる。尚、施工現場で下地ユニット１の枠体２に構造用面材１２を取り付ける場合には、このような制約はなく、先に下地ユニット１を床面Ｆ１に固定した後に、その下地ユニット１に構造用面材１２を取り付けるときには、作業者が両下地ユニット１，１の間に入ってその構造用面材１２を下地ユニット１の内側面に取り付けるようにすることもできる。
【００８１】
そして、左右の下地ユニット１，１を、その下側直階段部Ｓ１の上端部、廻り階段部Ｓ２の上端部及び上側直階段部Ｓ３の上端部に位置する部分においてそれぞれ下段、中段及び上段補強ユニット１５〜１７により一体的に連結する。具体的には、左右の下地ユニット１，１の両枠体２，２間に各補強ユニット１５〜１７を挟むように配置し、両枠体２，２と補強ユニット１５〜１７とをビス等で一体的に連結するとともに、補強ユニット１５〜１７も下側の横枠材１８において床面Ｆにビス等により固定する。このことにより、左右の下地ユニット１，１が３箇所で補強ユニット１５〜１７により一体的に連結固定されることとなる。
【００８２】
以上のような下地ユニット１に対する構造用面材１２の取付固定、その下地ユニット１，１及び補強ユニット１５〜１７の施工と並行して、予め、各踏板２１と、該踏板２１の上側に隣接する各蹴込板２２とを連結により一体化して断面Ｌ字状の複数の踏板ユニット２０，２０，…を形成しておく。
【００８３】
そして、左右の下地ユニット１，１において、下側直階段部Ｓ１の最下段に位置する蹴込板取付部７，７に蹴込板２２を配置し、その蹴込板２２をビス等により固定する。蹴込板２２と下地ユニット１の蹴込板取付部７との間にゴムマット２４を介在させる。
【００８４】
次いで、下側直階段部Ｓ１の最下段に位置する踏板取付部６，６及びその上側の蹴込板取付部７，７に踏板ユニット２０を配置し、その踏板ユニット２０の蹴込板２２の左右両端部を後面（裏面）で蹴込板取付部７，７に対応させた状態で、踏板２１を表側（上面側）から踏板取付部６，６にビス等により固定する。そのとき、踏板２１の下面前端部の蹴込板用凹溝２１ａに、下側に隣接する蹴込板２２の上端部を嵌合し、その蹴込板用凹溝２１ａ内の底面と蹴込板２２の上端部との間にゴムマット２３を介在させる。また、踏板２１と下地ユニット１の踏板取付部６との間、及び蹴込板２２と下地ユニット１の蹴込板取付部７との間にゴムマット２４を介在させる。
【００８５】
そして、上記と同様にして、２段目の踏板ユニット２０を下地ユニット１，１に固定し、その踏板２１の凹溝２１ａに下側の踏板ユニット２０における蹴込板２２の上端部をゴムマット２４を介して嵌合し、踏板２１と下地ユニット１の踏板取付部６との間、及び蹴込板２２と下地ユニット１の蹴込板取付部７との間にゴムマット２４を介在させる。
【００８６】
以後は同様にして、下地ユニット１，１の廻り階段部Ｓ２及び上側直階段部Ｓ３まで順に踏板ユニット２０，２０，…を取付固定する。そのとき、各踏板ユニット２０の踏板２１及び蹴込板２２は、いずれも左右端部が界壁Ｗ，Ｗに間隙をあけた状態で取り付ける。
【００８７】
階段Ｓの全てに踏板ユニット２０，２０，…（踏板２１及び蹴込板２２）が取り付けられると、その後、各踏板２１の前端部に段鼻部材２８のベース部２９を両面テープとステープルやビス等とによって取り付けるとともに、その段鼻部材２８後側（奥側）の踏板２１上面にクッション性を有する表面仕上げ材４７を固定し、次いで、段鼻部材２８のベース部２９にカバー部３５を取り付ける。
【００８８】
最後に、界壁Ｗに巾木を取り付けて、下地ユニット１や踏板ユニット２０と界壁Ｗとの間の隙間を上側（外部）から見て隠蔽する。以上により階段Ｓの施工が完了する。
【００８９】
したがって、この実施形態においては、階段室Ｒに施工される階段Ｓの直階段部Ｓ１，Ｓ３及び廻り階段部Ｓ２の部分に左右の下地ユニット１，１が、各々の下端部を階段室Ｒの床面Ｆに固定して自立した状態で設けられ、各下地ユニット１は界壁Ｗに固定されずに両者間に隙間が空けられ、左右の下地ユニット１，１の踏板取付部６，６間に踏板２１が、また蹴込板取付部７，７間に蹴込板２２がそれぞれ架け渡され、各踏板２１及び各蹴込板２２の左右端部と界壁Ｗ，Ｗとの間にも隙間が形成されている。そのため、左右の下地ユニット１，１、踏板２１及び蹴込板２２を含む階段Ｓは階段室Ｒの床面Ｆ上に固定支持され、左右両側の界壁Ｗ，Ｗに対し分離された構造となって、下地ユニット１，１、踏板２１及び蹴込板２２を含む階段Ｓが界壁Ｗ，Ｗから絶縁されることとなる。その結果、階段Ｓを人が昇降するときの騒音や振動が、界壁Ｗ，Ｗに隣接する１階の居室に対し界壁Ｗ，Ｗを通して伝達するのが可及的に少なくなり、その居室に対する十分な防音性能を確保することができる。
【００９０】
しかも、各踏板２１の上面にクッション性を有する表面仕上げ材４７が取付固定されているので、歩行者が踏板２１を踏むときの歩行音を低減することができる。
【００９１】
さらに、踏板２１と下地ユニット１の踏板取付部６との間、及び蹴込板２２と下地ユニット１の蹴込板取付部７との間にゴムマット２３が介在され、さらに、踏板２１とその下側の蹴込板２２とは、踏板２１の蹴込板嵌合溝２１ａに蹴込板２２の上端部が嵌合された状態で連結されて、その嵌合部分にゴムマット２４が介在されているので、歩行者が踏板２１を踏むときの歩行音をより一層低減することができる。
【００９２】
そして、各踏板２１の上面が、その上面に固定された表面仕上げ材４７により覆われるので、踏板ユニット２０を踏板２１において表側（上面側）からビス等により下地ユニット１に固定するようにしていても、そのビス等を表面仕上げ材４７によって隠蔽でき、ビス等が各踏板２１上面に露出することはなく、階段Ｓの美観性が保たれる。
【００９３】
また、下地ユニット１，１に踏板取付部６，６，…と蹴込板取付部７，７，…とが階段状に形成され、これら踏板取付部６に踏板２１が取付固定され、蹴込板取付部７に蹴込板２２が配置されるので、別途に雛段や側板を界壁Ｗ，Ｗに固定する必要がなく、その分、階段Ｓの施工を容易に行うことができる。
【００９４】
さらに、左右の各下地ユニット１は、高さの異なる複数の矩形状の枠体２，２，…が、枠体２内の平面を同じ平面上に位置させるように高さの順に直列に並べられて一体的に連結された枠組み構造とされ、各枠体２の上面に踏板取付部６が形成されているので、複数の枠体２，２，…の組み合わせによって下地ユニット１が構成されることとなり、下地ユニット１を容易に作製できるとともに、その施工現場での施工も容易となる。
【００９５】
また、左右の下地ユニット１，１は、その前後方向の３箇所において補強ユニット１５〜１７により一体的に連結されているので、階段Ｓが床面Ｆのみに支持された構造であっても、特にその廻り階段部Ｓ２及び上側直階段部Ｓ３からなる高段部の左右方向の剛性を大に確保することができる。その結果、階段Ｓの上記防音性能を安定して維持することができるとともに、その施工の安定性も向上する。
【００９６】
そして、各下地ユニット１は、高さの異なる複数の矩形状の枠体２，２，…が一体的に連結された枠組み構造を有し、そのうち、廻り階段部Ｓ２及び上側直階段部３からなる高段部に位置する左右の各下地ユニット１に構造用面材１２が複数の枠体２，２，…間に跨がるように取り付けられているので、その下地ユニット１が枠組み構造であっても、それらの枠体２，２，…間に跨がって連結された構造用面材１２によって下地ユニット１の前後方向についても剛性が大に確保される。このことによっても階段Ｓの防音性能をさらに安定して維持することができ、その施工の安定性もより一層向上する。
【００９７】
この実施形態では、各踏板２１は、該踏板２１の上側に隣接する蹴込板２２と連結一体化されて断面Ｌ字状の踏板ユニット２０とされ、この踏板ユニット２０が、踏板２１において表側から下地ユニット１，１に固定されているので、踏板ユニット２０を下地ユニット１，１に固定するだけで、踏板２１と共に蹴込板２２をも同時に施工することができる。しかも、踏板ユニット２０を踏板２１の表側から固定すればよいので、裏側から固定する手間が不要となり、これらによって施工性を高めることができる。
【００９８】
（その他の実施形態）
上記実施形態では、左右の下地ユニット１，１を枠体２，２，…が並べられた枠組み構造としているが、そのような枠組み以外の構造、例えばパネル体を採用することもでき、そのパネル体を床面Ｆに固定して自立させればよい。その場合、下地ユニット１に構造用面材１２を取り付けることは不要となり、両下地ユニット１，１間に補強ユニット１５〜１７を介在して固定するだけでよい。しかし、下地ユニット１，１の作製が容易となる点では枠組み構造を利用するのが好ましい。
【００９９】
また、上記実施形態では、踏板２１と蹴込板２２とを一体化して踏板ユニット２０を構成し、その踏板ユニット２０を踏板２１で固定するようにしているが、踏板ユニット２０を設けずに踏板２１及び蹴込板２２をそれぞれ独立して下地ユニット１，１の踏板取付部６，６，…及び蹴込板取付部７，７，…に取付固定するようにすることもできる。しかし、施工性を高め得る点では踏板ユニット２０を設けるのがよい。
【０１００】
さらに、上記実施形態では、階段Ｓは直階段部Ｓ１，Ｓ３と廻り階段部Ｓ２とが組み合わされているものであるが、直階段部のみの階段であっても本発明を適用することができる。その場合は、床面から所定段部（例えば６段)以上の高さの高段部に位置する左右の下地ユニット間に、上記実施形態と同様の補強ユニット１５〜１７を介在させて固定するか、或いはその高段部に位置する左右の各下地ユニットに、上記実施形態と同様の構造用面材１２を複数の枠体２，２，…間に跨がるように取り付ければよい。また、下地ユニット１，１の上部に踏板２１及び蹴込板２２（踏板ユニット２０）を架け渡すのではなく、下地ユニット１，１の対向面に架け渡すようにしてもよい。
【産業上の利用可能性】
【０１０１】
本発明は、階段室に施工される階段の使用時の騒音や振動が界壁を通して居室に伝達するのを可及的に少なくして十分な防音性能を確保できるとともに、その高段部の剛性を高くして防音性能や施工安定性を維持できるので、産業上の利用可能性が高い。
【符号の説明】
【０１０２】
Ｓ  防音階段
Ｓ１  下側直階段部
Ｓ２  廻り階段部（高段部）
Ｓ３  上側直階段部（高段部）
Ｒ  階段室
Ｗ  界壁
Ｆ  床面
１  下地ユニット
２  枠体
３  下段側受材
４  上段側受材
６  踏板取付部
７  蹴込板取付部
１２  構造用面材
１５  下段補強ユニット
１６  中段補強ユニット
１７  上段補強ユニット
２０  踏板ユニット
２１  踏板
２２  蹴込板
２３  ゴムマット
２４  ゴムマット
２８  段鼻部材
２９  ベース部
３５  カバー部
４７  表面仕上げ材
５６  鋼製束
【図１】
2018111966.tif 000003
【図２】
2018111966.tif 000004
【図３】
2018111966.tif 000005
【図４】
2018111966.tif 000006
【図５】
2018111966.tif 000007
【図６】
2018111966.tif 000008
【図７】
2018111966.tif 000009
【図８】
2018111966.tif 000010
【図９】
2018111966.tif 000011
【図１０】
2018111966.tif 000012
【図１１】
2018111966.tif 000013
【図１２】
2018111966.tif 000014
【図１３】
2018111966.tif 000015